(57)【特許請求の範囲】
【請求項１】
ディスク径方向に蛇行されたトラックの該蛇行の頂点にプリピットが予め形成されたディスクに光ビームを断続的に異なるパワーで照射させる光ディスク装置であって、
前記光ビームの反射光のうち前記トラックの前記プリピットが形成された側からの反射光を検出する第１の検出手段と、
前記光ビームの反射光のうち前記トラックの他方の側からの反射光を検出する第２の検出手段と、
前記第１の検出手段で検出された検出信号を増幅する第１の増幅手段と、
前記第２の検出手段で検出された検出信号を増幅する第２の増幅手段とを有し、
前記第２の増幅手段は、前記第１の増幅手段の出力と前記第２の増幅手段の出力との差分に応じて、前記第１の検出手段で検出された検出信号のうち前記トラックの蛇行に応じた信号成分のピーク値と前記第２の検出手段で検出された検出信号のうち前記トラックの蛇行に応じた信号成分のボトム値とが一致するように、その利得が可変されることを特徴とする光ディスク装置。
【請求項２】
ディスク径方向に蛇行されたトラックの該蛇行の頂点にプリピットが予め形成されたディスクに光ビームを断続的に異なるパワーで照射させる光ディスク装置であって、
前記光ビームの反射光のうち前記トラックの前記プリピットが形成された側からの反射光を検出する第１の検出手段と、
前記光ビームの反射光のうち前記トラックの他方の側からの反射光を検出する第２の検出手段と、
前記第１の検出手段で検出された検出信号を増幅する第１の増幅手段と、
前記第２の検出手段で検出された検出信号を増幅する第２の増幅手段と、
前記第１の増幅手段の出力と前記第２の増幅手段の出力との差動信号を出力する差動増幅回路と、
前記差動増幅回路の出力の前記プリピット部分をマスクした信号のピークホールド値に応じた信号をスライスレベルとして、前記プリピット部分を含む信号からプリピットを検出するプリピット検出手段とを有し、
前記第１の検出手段で検出された検出信号のうち前記トラックの蛇行に応じた信号成分のピーク値と前記第２の検出手段で検出された検出信号のうち前記トラックの蛇行に応じた信号成分のボトム値とが一致するように前記第１の増幅手段の利得及び／又は前記第２の増幅手段の利得を設定したことを特徴とする光ディスク装置。
【発明の詳細な説明】
【０００１】
【発明の属する技術分野】
本発明は光ディスク装置に係り、特に、光ビームを断続的に異なるパワーで照射させる光ディスク装置に関する。
【０００２】
【従来の技術】
図７に光ディスク装置のブロック構成図、図８に光ディスクの構成を説明するための図を示す。
【０００３】
図７に示す光ディスク装置１００は、例えば、ＤＶＤ−Ｒドライブであり、ＤＶＤ−Ｒディスク４０が装着され、ＤＶＤ−Ｒディスク４０に対して情報の記録／再生を行なう。
【０００４】
ＤＶＤ−Ｒディスク４０は、図８に示すように情報を記録／再生するトラック４０ａに沿ってウォブル４０ｂが形成されている。ウォブル４０ｂは、一定周期でディスクの半径方向にうねらせて形成されており、ウォブル４０ｂを再生することにより、ディスク回転制御信号やプリピット検出用ゲート信号などが得られる。
【０００５】
また、ＤＶＤ−Ｒ、ＤＶＤ−ＲＷドライブディスクには、ディスク上のアドレスがランド４０ａ上にプリピットされたＬＰＰ（land pre-pit）として記録されている。
【０００６】
光ディスク装置１００は、光学系４１、スピンドルモータ４２、スレッドモータ４３、レーザドライバ４４、フロントモニタ４５、ＡＬＰＣ（Auto Laser Power Control）回路４６、記録補償回路４７、ウォブル信号処理部４８、ＲＦアンプ４９、フォーカス／トラッキングサーボ回路５０、送りサーボ回路５１、スピンドルサーボ回路５２、ＤＶＤエンコード／デコード回路５３、ＲＡＭ５６、５８、インタフェース／バッファコントローラ５９、ＣＰＵ６０で構成され、ホストコンピュータ６１からのコマンドに応じて情報の記録／再生を行う。
【０００７】
スピンドルモータ４２はスピンドルサーボ回路５２によってディスク４０が所定の回転数で回転するようにディスク４０を回転させる。ディスク４０に対向して光学系４１が配置されている。光学系４１は、レーザダイオード及び４分割光検出器を含み、ディスク４０にレーザ光を照射して、ディスク４０に情報を記録するとともに、ディスク４０からの反射光から記録された情報に応じた再生信号を出力する。４分割光検出器は、例えば、Ａ、Ｂ、Ｃ、Ｄの４つの領域に分割されている。Ａ領域は、図８に示すようにレーザビームＬＢの反射光のうち、外周側、すなわち、矢印Ａ１方向側で、かつ、レーザビームＬＢの走査方向側、すなわち、矢印Ｂ１方向側の反射光を検出する。Ｂ領域は、図８に示すようにレーザビームＬＢの反射光のうち、内周側、すなわち、矢印Ａ２方向側で、かつ、レーザビームＬＢの走査方向側、すなわち、矢印Ｂ１方向側の反射光を検出する。
【０００８】
Ｃ領域は、図８に示すようにレーザビームＬＢの反射光のうち、内周側、すなわち、矢印Ａ２方向側で、かつ、レーザビームＬＢの非走査方向側、すなわち、矢印Ｂ２方向側の反射光を検出する。Ｄ領域は、図８に示すようにレーザビームＬＢの反射光のうち、外周側、すなわち、矢印Ａ１方向側で、かつ、レーザビームＬＢの非走査方向側、すなわち、矢印Ｂ２方向側の反射光を検出する。
【０００９】
光学系４１は、スレッドモータ４３、フォーカス／トラッキングサーボ回路５０によってディスクに照射する光ビームＢの位置が制御されている。
【００１０】
このうち、スレッドモータ４３は、送りサーボ回路５１の駆動制御により光学系４１を構成するキャリッジをディスク４０の半径方向に移動させる。また、フォーカス／トラッキングサーボ回路５０は、光学系４１のフォーカス及びトラッキングアクチュエータ（図示せず）を駆動制御して、フォーカス／トラッキング制御を行う。
【００１１】
光学系４１で再生された再生信号は、ＲＦアンプ４９に供給される。ＲＦアンプ４９は、再生信号を増幅する。再生信号のうち主信号は、ＤＶＤエンコード／デコード回路５３に供給され、デコードされる。また、各種サーボ信号を取り出して各サーボ制御回路に出力する。
【００１２】
ＲＡＭ５６は、ＤＶＤエンコード／デコード回路５３での処理の作業用記憶領域として用いられる。インタフェース／バッファコントローラ５９は、ホストコンピュータ６１とのデータの送受、データバッファの制御を行う。ＲＡＭ５８は、インタフェース／バッファコントローラ５９の作業用記憶領域として用いられる。
【００１３】
ＣＰＵ６０はホストコンピュータ６１からのコマンドに基づいて装置全体の制御を行なう。
【００１４】
ＤＶＤ−Ｒ等の光ディスクは、情報を記録するために形成すべきトラックに沿ってウォブルが予め形成されており、このウォブルを検出することによりウォブル信号が再生される。また、ディスクには、ランド上にプリピットが形成されており、このプリピットを再生することにより、ディスク位置を示すアドレスなどの情報が得られる。このとき、正確なアドレスなどの情報を得るためには、プリピット信号を正確にディジタルデータに変換する必要があった。
【００１５】
また、記録前、記録中、記録後にもＬＰＰを正確に読出す必要がある。
【００１６】
ここで、プリピットの検出方法について説明する。
【００１７】
図９は従来のプリピット検出方法を説明するための図を示す。
【００１８】
プリピットは、まず、図８に示すＡ領域の検出信号をＳa、Ｂ領域の検出信号をＳb、Ｃ領域の検出信号をＳc、Ｄ領域の検出信号をＳdとしたとき、｛（Ｓa＋Ｓd）−（Ｓb＋Ｓc）｝を求める。図９の実線は（Ｓa＋Ｓd）、破線は（Ｓb＋Ｓc）、図９の一点鎖線は｛（Ｓa＋Ｓd）−（Ｓb＋Ｓc）｝の波形を示す。
【００１９】
次に、図９に示す一点鎖線の｛（Ｓa＋Ｓd）−（Ｓb＋Ｓc）｝の波形を所定のレベルＬ11を閾値としてコンパレートすることによりＬＰＰが検出される。しかしながら、記録時には、記録情報に応じてレーザビームＬＢのパワーがパルス状に変動する。この変動がノイズとなり、ＬＰＰの検出を妨げてしまう。
【００２０】
この様子を図１０、図１１に示す。図１０に示す実線は、（Ｓa＋Ｓd）の波形、破線は（Ｓb＋Ｓc）の波形、図１１は｛（Ｓa＋Ｓd）−（Ｓb＋Ｓc）の波形を示す。
【００２１】
ここで、時刻ｔ１、ｔ２では、レーザビームのパワーはライトパワーレベルであり、時刻ｔ３では、レーザビームのパワーはリードパワーレベルである。
【００２２】
時刻ｔ１、ｔ２では、ライトパワーレベルでプリピットが検出されているため、周囲との差異が明確になり、プリピット部分での信号レベルが突出している。また、時刻ｔ３では、リードパワーレベルのレーザビームがプリピットに照射されるため、検出信号レベルがライトパワーレベルのレーザビームがプリピットに照射されたときに検出される検出信号レベルに比べて小さくなる。このため、時刻ｔ３でのプリピットの検出信号は、ライトパワーレベル時のウォブル信号のレベルに埋もれて検出できなくなる恐れがあった。
【００２３】
この解決手段として例えば、特開平１０−２８３６３８号公報に記載の技術が提案されていた。特開平１０−２８３６３８号公報に記載の技術では、サンプルホールド回路などのゲートタイミングでＬＰＰを抽出していた。
【００２４】
【発明が解決しようとする課題】
しかるに、特開平１０−２８３６３８号公報の技術では、サンプルホールド回路などのゲートタイミングが必要となるため、その制御が煩雑であった。また、サンプルホールドによるノイズが発生するなどの問題点があった。さらに、記録速度が高速になるにつれてれサンプルホールドが困難になるなどの問題点があった。
【００２５】
本発明は上記の点に鑑みてなされたもので、簡単な構成で、プリピット情報を確実に検出できる光ディスク装置を提供することを目的とする。
【００２６】
【課題を解決するための手段】
本発明は、ディスク径方向に蛇行されたトラックの蛇行の頂点にプリピットが予め形成されたディスクに光ビームを断続的に異なるパワーで照射させる光ディスク装置であって、光ビームの反射光のうちトラックのプリピットが形成された側からの反射光を検出する第１の検出手段と、光ビームの反射光のうちトラックの他方の側からの反射光を検出する第２の検出手段と、第１の検出手段で検出された検出信号を増幅する第１の増幅手段と、第２の検出手段で検出された検出信号を増幅する第２の増幅手段とを有し、第２の増幅手段は、第１の増幅手段の出力と第２の増幅手段の出力との差分に応じて第１の検出手段で検出された検出信号のうちトラックの蛇行に応じた信号成分のピーク値と第２の検出手段で検出された検出信号のうちトラックの蛇行に応じた信号成分のボトム値とが一致するようにその利得が可変されることを特徴とする。
【００２７】
また、本発明は、ディスク径方向に蛇行されたトラックの蛇行の頂点にプリピットが予め形成されたディスクに光ビームを断続的に異なるパワーで照射させる光ディスク装置であって、光ビームの反射光のうちトラックのプリピットが形成された側からの反射光を検出する第１の検出手段と、光ビームの反射光のうちトラックの他方の側からの反射光を検出する第２の検出手段と、第１の検出手段で検出された検出信号を増幅する第１の増幅手段と、第２の検出手段で検出された検出信号を増幅する第２の増幅手段と、第１の増幅手段の出力と第２の増幅手段の出力との差動信号を出力する差動増幅回路と、差動増幅回路の出力のプリピット部分をマスクした信号のピークホールド値に応じた信号をスライスレベルとして、プリピット部分を含む信号からプリピットを検出するプリピット検出手段とを有し、第１の検出手段で検出された検出信号のうちトラックの蛇行に応じた信号成分のピーク値と第２の検出手段で検出された検出信号のうちトラックの蛇行に応じた信号成分のボトム値とが一致するように前記第１の増幅手段の利得及び／又は前記第２の増幅手段の利得を設定したことを特徴とする。
【００２９】
本発明によれば、第１の増幅手段の出力と第２の増幅手段の出力との差分に応じて、光ビームの反射光のうちトラックのプリピットが形成された側からの反射光を検出する第１の検出手段で検出された検出信号のうちトラックの蛇行に応じた信号成分のピーク値と、光ビームの反射光のうちトラックの他方の側からの反射光を検出する第２の検出手段で検出された検出信号のうちトラックの蛇行に応じた信号成分のボトム値とが一致するように、第２の増幅手段の利得を可変することにより、レーザビームのパワーがリードパワーレベルにあるときにプリピットが検出された場合においても、その前後のライトパワーレベルでリードされたウォブル信号が「０」レベルとされるため、プリピット信号がライトパワーレベルでリードされたウォブル信号の中に埋もれてしまうことがなくなり、よって、プリピットを正確に検出できる。
【００３０】
【発明の実施の形態】
次に本発明の一実施例について説明する。なお、全体構成は図７と同様であるのでその説明は省略する。
【００３１】
図１は本発明の一実施例のプリピット検出部の回路構成図、図２〜図４は本発明の一実施例のプリピット検出部の動作波形図を示す。
【００３２】
本実施例のプリピット検出部２００は、加算器２０１、２０２、アンプ２０３、２０４、２０５、差動アンプ２０６、比較器２０７、ピークホールド回路２０８、オフセット調整回路２０９、サンプルホールド回路２１０、バンドパスフィルタ２１１、２値化回路２１２を含む構成とされている。
【００３３】
加算器２０１には、４分割検出器のＡ領域での検出信号及びＤ領域での検出信号が供給されている。加算器２０１は、Ａ領域の検出信号とＤ領域の検出信号とを加算した加算信号を出力する。加算器２０１の加算信号は、アンプ２０３に供給される。アンプ２０３は、加算信号を増幅する。アンプ２０３の出力は、図２に実線で示すようになる。
【００３４】
ここで、右側のプリピットは、レーザビームのパワーがリードパワーレベルにあるときに検出されていることから、その検出レベルは回りのレベルに比べてその変化が小さく、ライトパワーレベルでの検出信号の中に埋もれている。
【００３５】
このとき、アンプ２０３は、加算器２０１からの加算信号のピーク値が所定のレベルとなるように加算信号の利得が制御されている。アンプ２０３の出力信号は、差動増幅回路２０６の非反転入力端子に供給される。
【００３６】
加算器２０２には、４分割検出器のＢ領域での検出信号及びＣ領域での検出信号が供給されている。加算器２０２は、Ｂ領域からの検出信号とＣ領域からの検出信号とを加算した加算信号を出力する。加算器２０２の加算信号は、アンプ２０４に供給される。アンプ２０４は、加算信号を増幅する。アンプ２０４の出力は、図２に破線で示すようになる。
【００３７】
このとき、アンプ２０４は、加算器２０２からの加算信号のピーク値が所定のレベルとなるように加算信号の利得が制御されている。アンプ２０４の出力は、アンプ２０５に供給される。アンプ２０５は、利得設定回路２１４により設定された利得でアンプ２０４の出力信号を増幅する。ここで、利得設定回路２１４は、アンプ２０３の出力信号のピークエンベロープ、すなわち、ライトパワーレベルでのウォブル信号成分の振幅のピーク値とアンプ２０４の出力信号のピークエンベロープ、すなわち、ライトパワーレベルでのウォブル信号成分の振幅のボトムとが一致するように利得を設定する。従って、アンプ２０５の出力は、図３に破線で示すようになる。アンプ２０５で増幅された信号は、差動増幅回路２０６の反転入力端子に供給される。
【００３８】
差動増幅回路２０６は、アンプ２０３の出力信号からアンプ２０５の出力信号を減算する。差動増幅回路２０６の出力は、ＬＰＰを含むウォブル信号であり、図４（Ａ）に示すような波形となる。
【００３９】
差動増幅回路２０６の出力は、比較器２０７の非反転入力端子、ピークホールド回路２０８、サンプルホールド回路２１０に供給される。ピークホールド回路２０８は、差動増幅回路２０６の出力信号ピーク値をタイミング生成回路２１３からのタイミング信号に応じてホールドする。
【００４０】
ピークホールド回路２０８にホールドされたピーク値は、オフセット調整回路２０９に供給される。オフセット調整回路２０９は、ピークホールド回路２０８の出力のオフセット値を調整する。オフセット調整回路２０９でオフセット調整されたピーク値を図４（Ａ）に実線で示す。
【００４１】
オフセット調整回路２０９で調整されたピーク値は、ＬＰＰ検出のためのスライスレベルとして比較器２０７の反転入力端子に供給される。
【００４２】
比較器２０７は、差動増幅回路２０６の出力とオフセット調整回路２０９の出力とを比較し、差動増幅回路２０６の出力がオフセット調整回路２０９の出力より大きければ、出力をハイレベルとし、差動増幅回路２０６の出力がオフセット調整回路２０９の出力より小さければ、出力をローレベルとする。図４（Ｂ）に差動増幅回路２０７の出力波形を示す。
【００４３】
図４（Ａ）では、アンプ２０３の出力信号のピークエンベロープすなわち、ライトパワーレベルでのウォブル信号成分の振幅のピークとアンプ２０５の出力信号のピークエンベロープ、すなわち、ライトパワーレベルでのウォブル信号成分の振幅のボトムとが一致していることから、時刻ｔ３でのプリピットの周囲のライトパワーレベルでの検出信号は、略「０」レベルとされる。また、その他の部分においては、アンプ２０５の出力信号の方が大きいことから、ライトレベルでの検出信号は「０」レベルより小さくなる。したがって、ライトパワーレベルでの検出信号の中に埋もれていたプリピット検出信号がウォブル信号成分から露出される。したがって、オフセット調整回路２０９から出力されるスライスレベルの信号よりプリピット信号が大きくなることから、比較器２０７からはプリピット信号のみが正確に出力される。
【００４４】
また、サンプルホールド回路２１０は、図４（Ａ）に示すような差動増幅回路２０６の出力を差動増幅回路２０６の出力の周期に比べて十分に短いサンプリング周期で、サンプリングし、ホールドする。サンプルホールド回路２１０の出力は、バンドパスフィルタ２１１に供給される。バンドパスフィルタ２１１は、サンプルホールド回路２１０から出力から不要な帯域成分を除去する。バンドパスフィルタ２１１の出力を図４（Ｃ）に示す。バンドパスフィルタ２１１の出力は、二値化回路２１２及びタイミング生成回路２１３に供給される。
【００４５】
二値化回路２１２は、バンドパスフィルタ２１１の出力を基準となる閾値Ｌ０と比較する。二値化回路２１２は、図４（Ｅ）に示すようにバンドパスフィルタ２１１の出力が閾値Ｌ０より大きいときにハイレベル、閾値Ｌ０より小さいときにローレベルを出力し、二値化する。二値化回路２１２により二値化された信号は、ウォブル信号として供給される。
【００４６】
また、タイミング生成回路２１３は、バンドパスフィルタ２１１の出力を基準の閾値Ｌ０より大きい閾値Ｌ１と比較する。タイミング生成回路２１３は、図４（Ｄ）に示すようにバンドパスフィルタ２１１の出力が閾値Ｌ１より大きいときにハイレベル、閾値Ｌ１より小さいときにローレベルを出力し、二値化したタイミング信号を生成する。タイミング生成回路２１３で生成されたタイミング信号は、ピークホールド回路２０８に供給される。ピークホールド回路２０８は、タイミング生成回路２１３からのタイミング信号がハイレベルのときに、差動増幅回路２０６の出力をマスクする。ピークホールド回路２０８をタイミング信号によりマスクすることにより、ＬＰＰのピークホールドが禁止される。
【００４７】
本実施例によれば、図２、図３に示すように光ビームが記録レベル以外の期間にプリピットが含まれた場合でも、図４に示すようにＬＰＰを検出することができる。よって、ＬＰＰを正確に検出することができる。
【００４８】
なお、本実施例では、ウォブル信号を差動増幅回路２０６の出力から作成したが、４分割光検出器の４つの検出信号Ｓa、Ｓb、Ｓc、Ｓdから｛（Ｓa＋Ｓd）−（Ｓb＋Ｓc）｝直接生成するようにしてもよい。ここで、検出信号ＳaはＡ領域、検出信号ＳbはＢ領域、検出信号ＳcはＣ領域、検出信号ＳdはＤ領域の検出信号を示す。
【００４９】
次に利得設定回路２１４について説明する。図５は利得設定回路２１４のブロック構成図を示す。同図中、図１と同一構成部分には同一符号を付し、その説明は省略する。
【００５０】
利得設定回路２１４は、サンプルホールド回路４０１、４０２、ＡＤ（アナログ−ディジタル）変換回路４０３、４０４、マイコン４０５、ウォブル信号検出回路４０６、タイミング発生回路４０７を含む構成とされている。
【００５１】
ウォブル信号検出回路４０６には、４分割光検出器からのＡ、Ｂ、Ｃ、Ｄ領域からの検出信号が供給されている。ウォブル信号検出回路４０６は、４分割光検出器からのＡ、Ｂ、Ｃ、Ｄ領域からの検出信号Ｓa、Ｓb、Ｓc、Ｓdから｛（Ｓa＋Ｓd）−（Ｓb＋Ｓc）｝を算出することによりウォブル信号を検出する。ウォブル検出回路４０６で検出されたウォブル信号は、タイミング生成回路４０７に供給されるとともに、二値化される。タイミング生成回路４０７は、ウォブル検出信号の振幅のピークでタイミング信号を生成し、サンプルホールド回路４０１、４０２に供給する。
【００５２】
サンプルホールド回路４０１には、アンプ２０３の出力及びタイミング生成回路４０７の出力タイミング信号が供給されている。サンプルホールド回路４０１は、タイミング生成回路４０７の出力タイミング信号に応じてアンプ２０３の出力をサンプリングし、ホールドする。サンプルホールド回路４０１の出力は、ＡＤ変換回路４０３に供給される。
【００５３】
ＡＤ変換回路４０３は、サンプルホールド回路４０１にホールドされた信号をディジタルデータに変換する。ＡＤ変換回路４０３の出力ディジタルデータは、マイコン４０５に供給される。
【００５４】
サンプルホールド回路４０２には、アンプ２０４の出力及びタイミング生成回路４０７の出力タイミング信号が供給されている。サンプルホールド回路４０２は、タイミング生成回路４０７の出力タイミング信号に応じてアンプ２０４の出力をサンプリングし、ホールドする。サンプルホールド回路４０２の出力は、ＡＤ変換回路４０４に供給される。
【００５５】
ＡＤ変換回路４０４は、サンプルホールド回路４０２にホールドされたアナログ信号をディジタルデータに変換する。ＡＤ変換回路４０４の出力ディジタルデータは、マイコン４０５に供給される。
【００５６】
次に、利得制御回路２１４により、アンプ２０５の利得を設定する動作を説明する。
【００５７】
ディスクが装着されると、ディスクが回転制御され、レーザが再生レベルでＤＣ発光されて、ディスクの未記録部分が再生される。ディスクからの反射光のラジアルプッシュ信号より検出されたウォブル信号は、タイミング生成回路４０７に入力され、ウォブル信号の振幅のピークでタイミング信号を発生する。
【００５８】
タイミング信号は、サンプルホールド回路４０１に入力され、４分割光検出器のＡ、Ｄ領域で検出された信号のピーク値、すなわち、ウォブルにより変調された信号の振幅のピーク値をサンプルホールドする。同時に、タイミング信号は、サンプルホールド回路４０２に入力され、４分割光検出器のＢ、Ｃ領域から検出された信号のボトム値、すなわち、ウォブルにより変調された信号の振幅のボトム値をサンプルホールドする。
【００５９】
サンプルホールドされたピーク値及びボトム値はそれぞれＡＤ変換回路４０３、４０４を通じてマイコン４０５に入力される。マイコン４０５は、入力されたピーク値及びボトム値の値が一致するようなアンプ２０５の利得を計算し、計算された利得をアンプ２０５に設定する。これにより、最適な利得が設定される。
【００６０】
なお、本実施例では、ディスクの装着毎に最適な利得を演算し、設定しているが、これをディスクの種類毎にメモリに保存しておき、次回以降は、メモリを参照して装着されたディスクについての利得が存在する場合には、メモリからその値を読み出して、アンプ２０５に設定するようにしてもよい。
【００６１】
また、図５では、ディジタルデータに変換してマイコンで最適利得を計算してからアンプに利得を設定するようにしたが、実際にアンプの利得を変化させながら最適利得を調整するようにしてもよい。
【００６２】
図６は本発明の一実施例のプリピット検出部の変形例のブロック構成図を示す。同図中、図１と同一構成部分には同一符号を付し、その説明は省略する。
【００６３】
本実施例のプリピット検出部３００は、アンプ２０５に代えて可変アンプ３０６が設けられている。また、利得設定回路２１４に代えて、バンドパスフィルタ３０１、３０２、サンプルホールド回路３０３、３０４、差動増幅回路３０５、調整オン・オフスイッチ３０７、タイミング発生回路３０８が設けられている。
【００６４】
バンドパスフィルタ３０１には、アンプ２０３の出力が供給される。バンドパスフィルタ３０１は、アンプ２０３の出力から不要成分を除去する。バンドパスフィルタ３０１の出力は、サンプルホールド回路３０３に供給される。
【００６５】
サンプルホールド回路３０３は、タイミング発生回路３０８の出力タイミング信号に応じてバンドパスフィルタ３０１の出力をサンプリングし、ホールドする。サンプルホールド回路３０３にホールドされた信号は、差動増幅回路３０５の反転入力端子に供給される。
【００６６】
また、バンドパスフィルタ３０２には、可変アンプ３０６の出力が供給される。バンドパスフィルタ３０２は、可変アンプ３０６の出力から不要成分を除去する。バンドパスフィルタ３０２の出力は、サンプルホールド回路３０４に供給される。
【００６７】
サンプルホールド回路３０４は、タイミング発生回路３０８の出力タイミング信号に応じてバンドパスフィルタ３０２の出力をサンプリングし、ホールドする。サンプルホールド回路３０４にホールドされた信号は、差動増幅回路３０５の非反転入力端子に供給される。
【００６８】
差動増幅回路３０５は、サンプルホールド回路３０３の出力とサンプルホールド回路３０４の出力との差に応じた信号を出力する。差動増幅回路３０５の出力は、スイッチ３０７を介して可変アンプ３０６に供給される。可変アンプ３０６は、スイッチ３０７からの信号に応じた利得でアンプ２０４の出力を増幅する。可変アンプ３０６の出力は、差動増幅回路２０６の反転入力端子に供給される。
【００６９】
スイッチ３０７は、外部からの切換信号に応じてオン・オフされ、利得設定時にオンとされ、差動増幅回路３０５の出力に基づいて利得が設定され、設定が終わるとオフにされる。
【００７０】
次に、可変アンプ３０６の利得を設定する動作を説明する。
【００７１】
ディスクが装着されると、ディスクは回転制御され、レーザを再生レベルでＤＣ発光させ、ディスクの未記録部を再生する。このとき、調整オン・オフスイッチ３０７をオフ状態からオン状態に切り換える。また、サンプルホールド回路２１０をスルーとする。
【００７２】
差動増幅回路２０６からサンプルホールド回路２１０、バンドパスフィルタ２１１を通じて出力されたウォブル信号は、タイミング発生回路３０８に入力される。タイミング信号発生回路３０８では、ウォブル信号の振幅のピーク値でタイミング信号を発生する。タイミング信号は、サンプルホールド回路３０３、３０４に供給される。
【００７３】
サンプルホールド回路３０３では、４分割光検出器のＡ、Ｄ領域で検出された信号のピーク値、すなわち、ウォブルにより変調された信号の振幅のピーク値がサンプルホールドされる。また、サンプルホールド回路３０４では、４分割光検出器のＢ、Ｃ領域で検出された信号のボトム値、すなわち、ウォブルにより変調された信号の振幅のボトム値がサンプルホールドされる。
【００７４】
サンプルホールド回路３０３でサンプルホールドされたピーク値とサンプルホールド回路３０４でサンプルホールドされたボトム値とは、差動増幅回路３０５に供給される。差動増幅回路３０５は、サンプルホールド回路３０３でサンプルホールドされたピーク値とサンプルホールド回路３０４でサンプルホールドされたボトム値との差に応じた信号を出力する。差動増幅回路３０５の出力は、スイッチ３０７を介して可変アンプ３０６に供給されている。可変アンプ３０６は、差動増幅回路３０５の出力によりピーク値とボトム値とが一致する、すなわち、出力が「０」となるように可変アンプ３０６の利得が設定される。可変アンプ３０６の利得が設定された後、スイッチ３０７がオフされ、可変アンプ３０６の利得の設定動作は終了する。
【００７５】
なお、上記実施例は、ＤＶＤ−Ｒ、ＲＷを例にとって説明したが、プリピットが形成されており、光ビームが断続して照射される光ディスク装置に適用することも可能である。
【００７６】
【発明の効果】
上述の如く、本発明によれば、第１の増幅手段の出力と第２の増幅手段の出力との差分に応じて、光ビームの反射光のうちトラックのプリピットが形成された側からの反射光を検出する第１の検出手段で検出された検出信号のうちトラックの蛇行に応じた信号成分のピーク値と、光ビームの反射光のうちトラックの他方の側からの反射光を検出する第２の検出手段で検出された検出信号のうちトラックの蛇行に応じた信号成分のボトム値とが一致するように、第２の増幅手段の利得を可変することにより、レーザビームのパワーがリードパワーレベルにあるときにプリピットが検出された場合においても、その前後のライトパワーレベルでリードされたウォブル信号が「０」レベルとされるため、プリピット信号がライトパワーレベルでリードされたウォブル信号の中に埋もれてしまうことがなくなり、よって、プリピットを正確に検出できる等の特長を有する。
【図面の簡単な説明】
【図１】本発明の一実施例のプリピット検出部の回路構成図である。
【図２】本発明の一実施例のプリピット検出部の動作波形図である。
【図３】本発明の一実施例のプリピット検出部の動作波形図である。
【図４】本発明の一実施例のプリピット検出部の動作波形図である。
【図５】利得設定回路２１４のブロック構成図である。
【図６】本発明の一実施例のプリピット検出部の変形例のブロック構成図である。
【図７】光ディスク装置のブロック構成図である。
【図８】光ディスクの構成を説明するための図である。
【図９】従来のプリピット検出方法を説明するための図である。
【図１０】従来のプリピット検出方法の動作を説明するための図である。
【図１１】従来のプリピット検出方法の動作を説明するための図である。
【符号の説明】
２００、３００  プリピット検出部
２０１、２０２  加算器
２０３、２０４、２０５  アンプ
２０６、３０５  差動増幅回路
２０７  比較器
２０８  ピークホールド回路
２０９  オフセット調整回路
２１０、３０３、３０４  サンプルホールド回路
２１１、３０１、３０２  バンドパスフィルタ
２１２  ２値化回路
２１３  タイミング生成回路
２１４  利得設定回路
３０６  可変アンプ
３０７  スイッチ
【図１】
0003876686.tif 000002
【図２】
0003876686.tif 000003
【図３】
0003876686.tif 000004
【図４】
0003876686.tif 000005
【図５】
0003876686.tif 000006
【図６】
0003876686.tif 000007
【図７】
0003876686.tif 000008
【図８】
0003876686.tif 000009
【図９】
0003876686.tif 000010
【図１０】
0003876686.tif 000011
【図１１】
0003876686.tif 000012